(57)【要約】  より耐久性のある可動コネクタを伴うドッキングステーションが提供される。例えば、コネクタに結合されたポータブル電子装置が前方に押されると、コネクタが動く（例えば、回転する）よう設計され、そのように押されることで生じる歪の影響を減少する。回転可能なコネクタは、ポータブル電子装置を直立位置に保持するようにバイアスされ、電子装置はドッキングステーションの後部基準面により支持され、直立位置における回転可能なコネクタにかかる不当な歪を防止すると共に、前方に動くのを禁止する。回転可能なコネクタは、その一部分がドッキングステーションの外殻より下にあり、外殻において枢着回転し、それにより、外殻の下の部分への考えられるダメージを減少する。又、回転可能なコネクタは、回転時に引っ込み、完全な前方回転位置においてコネクタを破壊する力を除去する。【選択図】      図８Ａ
2013516678.tif 000002
【特許請求の範囲】
【請求項１】
ポータブル電子装置のためのドッキングステーションにおいて、
ベースと、
前記ベースに結合され且つ直立位置に向けてバイアスされる回転可能なコネクタであって、ポータブル電子装置のリセプタクルコネクタを受け入れてそれに電気的に結合される回転可能なコネクタと、
前記ベースに機械的に結合され、且つポータブル電子装置が前記回転可能なコネクタにその直立位置で結合されたときにその電子装置を支持するようにされた後部基準面と、
を備えたドッキングステーション。
【請求項２】
前記回転可能なコネクタを、直立位置に存在するようバイアスするバイアスメカニズムを更に備え、このバイアスメカニズムは、前記回転可能なコネクタがその直立位置から遠くへ動くにつれて増加するバイアス力を与える少なくとも１つのスプリングを含む、請求項１に記載のドッキングステーション。
【請求項３】
前記回転可能なコネクタの接点に電子的に結合された電子回路を更に備え、前記少なくとも１つのスプリングは、前記回転可能なコネクタを前記電子回路に電気的に結合する柔軟な回路を含む、請求項２に記載のドッキングステーション。
【請求項４】
前記少なくとも１つのスプリングの長さは、前記回転可能なコネクタがその直立位置から離れて回転するときに減少する、請求項２に記載のドッキングステーション。
【請求項５】
回転中に、前記回転可能なコネクタは、前記ベースの外面上の点で枢着回転する、請求項１に記載のドッキングステーション。
【請求項６】
前記ベースは、外殻を含み、そして回転中に、前記回転可能なコネクタは、その外殻において枢着回転する、請求項１に記載のドッキングステーション。
【請求項７】
ポータブル電子装置のためのドッキングステーションにおいて、
開口を有する外殻を含むベースと、
前記ベースに結合され且つ前記ベースの外殻の開口を通して突出する回転可能なコネクタであって、前記外殻の下に第１区分をそして前記外殻の上に第２区分を有し、更に、ポータブル電子装置のリセプタクルコネクタを受け入れてそれに電気的に結合されるように構成された回転可能なコネクタと、
を備え、前記回転可能なコネクタは、回転の少なくとも一部分中に、前記回転可能なコネクタの表面と前記外殻との間の接触点の周りで枢着回転する、
ドッキングステーション。
【請求項８】
前記外殻は、
前記開口の第１の側に第１区分を含み、この第１区分は、第１の縁を含み、前記回転可能なコネクタは、その回転可能なコネクタが第１の方向に回転するときにその第１の縁において枢着回転し、
前記開口の反対側に第２区分を更に含み、この第２区分は、第２の縁を含み、前記回転可能なコネクタは、その回転可能なコネクタが反対方向に回転するときにその第２の縁において枢着回転する、
請求項７に記載のドッキングステーション。
【請求項９】
前記第１の縁は、前記第２の縁と同じ高さである、請求項８に記載のドッキングステーション。
【請求項１０】
前記外殻の下で前記コネクタの区分に結合され且つ前記回転可能なコネクタを直立位置に向けてバイアスするバイアスメカニズムを更に備え、前記回転可能なコネクタは、その回転可能なコネクタが直立位置にあるときに前記ベースの外殻の開口にシールを形成し、そのシールは、前記回転可能なコネクタが第１の縁に接触し且つ第２区分に接触することで形成される、請求項８に記載のドッキングステーション。
【請求項１１】
前記外殻の第１区分は、前記回転可能なコネクタを向いた第１の表面を含み、この第１の表面は、前記第１の縁の下にあり、そして前記回転可能なコネクタが垂直位置にあるときに前記回転可能なコネクタから離れる角度にあり、
前記外殻の第２区分は、前記回転可能なコネクタを向いた第２の表面を含み、この第２の表面は、前記第２の縁の下にあり、そして前記回転可能なコネクタが垂直位置にあるときに前記回転可能なコネクタから離れる角度にある、請求項８に記載のドッキングステーション。
【請求項１２】
前記回転可能なコネクタは、その回転可能なコネクタが直立位置にあるときに前記第１の縁に接触し、前記第１の縁の下にある前記第１の表面の角度は、前記第２の縁の下にある前記第２の表面の角度より大きい、請求項１１に記載のドッキングステーション。
【請求項１３】
前記第１の縁の上にある前記第１の表面の部分は、前記回転可能なコネクタがその垂直位置にあるときに前記回転可能なコネクタから離れる角度にある、請求項１１に記載のドッキングステーション。
【請求項１４】
前記回転可能なコネクタは、少なくとも１つのカーブした部分を前記回転可能なコネクタの下部に含み、そして更に、
回転中に前記少なくとも１つのカーブした部分に接触して前記回転可能なコネクタの位置をガイドする少なくとも１つのガイド面を含む、請求項７に記載のドッキングステーション。
【請求項１５】
前記少なくとも１つのガイド面は、前記回転可能なコネクタを１つ以上の直立位置において安定化する止め具を含む、請求項１４に記載のドッキングステーション。
【請求項１６】
前記外殻の下で前記コネクタの区分に結合され且つ前記回転可能なコネクタを直立位置に向かってバイアスするバイアスメカニズムを更に備えた請求項７に記載のドッキングステーション。
【請求項１７】
電子回路と、
前記回転可能なコネクタと前記電子回路との間の電気的接続と、
を備え、前記バイアスメカニズムは、
前記電気的接続の第１の側の第１の縁において前記回転可能なコネクタに結合された第１のスプリングと、
前記電気的接続の第２の側の第２の縁において前記回転可能なコネクタに結合された第２のスプリングと、
を含む、請求項１６に記載のドッキングステーション。
【請求項１８】
ポータブル電子装置のためのドッキングステーションにおいて、
開口を有する外殻を有するベースと、
前記外殻の開口を通して突出する回転可能なコネクタであって、前記外殻の下に第１区分をそして前記外殻の上に第２区分を有し、更に、ポータブル電子装置のリセプタクルコネクタを受け入れてそれに電気的に結合されるように構成された回転可能なコネクタと、
前記回転可能なコネクタに結合された少なくとも１つのガイドポストと、
回転中に前記少なくとも１つのガイドポストに接触しそして前記回転可能なコネクタの位置をガイドする少なくとも１つのガイド面と、
を備えたドッキングステーション。
【請求項１９】
前記少なくとも１つのガイド面は、
前記少なくとも１つのガイドポストの下に第１のガイド面を含み、この第１のガイド面は、前記回転可能なコネクタが垂直位置に向かって回転するときに前記回転可能なコネクタに上方の力を与え、
前記少なくとも１つのガイドポストの上に第２のガイド面を含み、この第２のガイド面は、前記回転可能なコネクタが水平位置に向かって回転するときに前記回転可能なコネクタに下方の力を与える、請求項１８に記載のドッキングステーション。
【請求項２０】
前記少なくとも１つのガイドポストに接触するバイアスメカニズムを更に備え、このバイアスメカニズムは、前記回転可能なコネクタを直立位置に向けて回転する方向にバイアス力を与える、請求項１９に記載のドッキングステーション。
【請求項２１】
前記バイアスメカニズムは、
前記第１のガイド面と前記第２のガイド面との間に存在する１つ以上のスプリングを含む、請求項２０に記載のドッキングステーション。
【請求項２２】
前記少なくとも１つのガイドポストは、前記回転可能なコネクタの第１区分の下端に結合される、請求項１８に記載のドッキングステーション。
【請求項２３】
前記少なくとも１つのガイド面は、１つ以上の直立位置において前記回転可能なコネクタを安定化する止め具を含む、請求項１８に記載のドッキングステーション。
【請求項２４】
前記回転可能なコネクタをドッキングステーションの電子回路に電気的に結合する柔軟な回路を更に備え、この柔軟な電気回路は、前記回転可能なコネクタを直立位置に向かってバイアスするバイアスメカニズムとして働く、請求項１８に記載のドッキングステーション。
【請求項２５】
ポータブル電子装置のためのドッキングステーションにおいて、
下面及び上部外殻を有し、その上部外殻が開口を有するようなベースと、
前記上部外殻の開口を通して突出する回転可能なコネクタであって、前記上部外殻の下に第１区分をそして前記上部外殻の上に第２区分を有し、更に、ポータブル電子装置のリセプタクルコネクタを受け入れてそれに電気的に結合されるように構成された回転可能なコネクタと、
前記外殻の上にある前記回転可能なコネクタの第２区分を、前記回転可能なコネクタが前記下面に垂直な位置から前記ドッキングステーションの前部に向かって回転するときに減少させる引っ込めメカニズムと、
を備えたドッキングステーション。
【請求項２６】
前記引っ込めメカニズムは、前記回転可能なコネクタが前記ドッキングステーションの前部に向かって前方に回転されたとき前記ポータブル電子装置のリセプタクルコネクタから前記回転可能なコネクタを放出させる、請求項２５に記載のドッキングステーション。
【発明の詳細な説明】
【技術分野】
【０００１】
本発明は、電子装置のためのドッキングステーションに係る。より詳細には、本発明は、より耐久性のあるコネクタを有するドッキングステーションに係る。
【背景技術】
【０００２】
ポータブル電子装置（電話、メディアプレーヤ、ノートブック／ネットブックコンピュータ、タブレットコンピュータ、等）は、今日の社会に偏在してきている。ポータブル電子装置は、通常、ユーザがデータや機能を見たり選択したりするディスプレイスクリーン（例えば、タッチスクリーン）を有している。例えば、ユーザは、見るビデオや他の提示を選択することができる。そのような環境では、ユーザが装置を見る間にその保持を強制されないように装置をある種のホルダに配置することで装置を直立（見るための）位置に保持することがユーザにとって便利である。
【０００３】
それに加えて、ユーザは、ディスプレイ装置を他の電子装置にインターフェイスすることを望む。例えば、ユーザは、スピーカを通して音楽を再生することを望み又は単に装置を充電することを望む。しかしながら、このようなインターフェイス中や充電中に、ユーザは、装置のディスプレイ及び／又はコントロールが見えることも望む。
【発明の概要】
【発明が解決しようとする課題】
【０００４】
そのような特徴を与えるために、製造者は、ユーザが装置を差し込めるドッキングステーション（ドック）を提供する。多くの場合に、ドックは、表面から立ち上るコネクタを有し、このコネクタは、装置を見たり使用したりできる位置にある。しかしながら、これらのコネクタは、特に、装置が大きいときや付加的な応力がコネクタにかかるときには、弱点となる。又、コネクタは、装置のほとんどの支持も与える。従って、そのようなドッキングステーションのコネクタは、不適切な方向に引っ張られる、等の誤用によってダメージを受けることがある。
【課題を解決するための手段】
【０００５】
本発明の実施形態は、より耐久性のあるコネクタを伴うドッキングステーションを提供する。ある実施形態は、コネクタをポータブル電子装置に接続したときにそれが動けるようにする。コネクタのこの動きは、望ましからぬ力を吸収して、コネクタが誤用から破壊するおそれを少なくする。この動きは、例えば、スライド、並進移動、撓み、回転及び／又はその何らかの組み合わせを含む。１つの例において、ポータブル電子装置が前方に押された場合には、コネクタが回転し、そのように押されることから破壊するおそれを少なくする。
【０００６】
更に、回転可能なコネクタは、ポータブル電子装置を直立位置に保持するようにバイアスメカニズムでバイアスされ、電子装置は、ドッキングステーションの後部基準面で支持され、直立位置における回転可能なコネクタへの不当な歪を防止する。バイアスメカニズムは、後部基準面で支持される位置に電子装置を保持するために前方への逆の動きにより作用することができる。回転可能なコネクタは、ドッキングステーションのベースの外殻より一部分が下で且つ一部分が上であり、そしてベースの外殻で枢着回転して、外殻の下の部品（例えば、回転メカニズム）へのダメージのおそれを少なくする。又、回転可能なコネクタは、回転時に引っ込んで、コネクタを装置から除去し、力がコネクタに作用するのを停止させることができる。
【０００７】
１つの実施形態によれば、ドッキングステーションは、ベースと、後部基準面と、ポータブル電子装置のリセプタクルコネクタを受け入れ且つそれに電気的に結合するよう構成された回転可能なコネクタとを備えている。回転可能なコネクタは、ベースに結合され、そして直立位置に向かってバイアスされる。後部基準面は、ベースに機械的に結合され、そしてポータブル電子装置がその直立位置において回転可能なコネクタに結合されるときにその電子装置を支持するようにされる。
【０００８】
別の実施形態によれば、ドッキングステーションは、開口を有する外殻付きベースと、ポータブル電子装置のリセプタクルコネクタを受け入れ且つそれに電気的に結合するように構成された回転可能なコネクタとを備えている。回転可能なコネクタは、ベースに結合され、そしてベースの外殻の開口を通して突出する。回転可能なコネクタは、外殻の下に第１区分をそして外殻の上に第２区分を有する。回転の少なくとも一部分の間に、回転可能なコネクタは、回転可能なコネクタの表面と外殻との間の接点の周りで枢着回転する。
【０００９】
更に別の実施形態によれば、ドッキングステーションは、開口を有する外殻付きベースと、ポータブル電子装置のリセプタクルコネクタを受け入れ且つそれに電気的に結合するように構成された回転可能なコネクタとを備えている。回転可能なコネクタは、外殻の開口を通して突出し、外殻の下に第１区分をそして外殻の上に第２区分を有する。又、ドッキングステーションは、回転可能なコネクタに結合された少なくとも１つのガイドポストと、この少なくとも１つのガイドポストに接触する少なくとも１つのガイド面も備えている。この少なくとも１つのガイド面は、回転可能なコネクタの回転中に回転可能なコネクタの位置をガイドする。
【００１０】
本発明の更に別の実施形態によれば、ドッキングステーションは、ベースと、（ポータブル電子装置のリセプタクルコネクタを受け入れ且つそれに電気的に結合するように構成された）回転可能なコネクタと、引っ込めメカニズムとを備えている。ベースは、下面、及び開口を有する上部外殻を有する。回転可能なコネクタは、上部外殻の開口を通して突出して、上部外殻の下に第１区分をそして上部外殻の上に第２区分を有する。引っ込めメカニズムは、回転可能なコネクタが下面に垂直な位置からドッキングステーションの前部に向かって回転するときに、外殻の上の回転可能なコネクタの第２区分を減少させる。
【図面の簡単な説明】
【００１１】
【図１】本発明の実施形態によるコネクタアッセンブリ１００の斜視図である。
【図２Ａ】本発明の一実施形態により直立位置にバイアスされる回転可能なコネクタを伴うドッキングステーションの断面側面図である。
【図２Ｂ】本発明の一実施形態により回転可能なコネクタが直立位置にあるときに後部基準面によって支持されるポータブル電子装置に結合されたドッキングステーションを示す。
【図２Ｃ】本発明の一実施形態によりポータブル電子装置が後部基準面に対して前方に移動される場合に回転可能なコネクタに接続されたドッキングステーションを示す。
【図２Ｄ】本発明の一実施形態によりポータブル電子装置が垂直位置を越えて移動される場合に回転可能なコネクタに接続されたドッキングステーションを示す。
【図２Ｅ】本発明の実施形態によるドッキングステーションの上面図である。
【図３Ａ】本発明の一実施形態によりドッキングステーションの外殻の縁の周りで枢着回転する回転可能なコネクタの拡大断面図で、コネクタを直立位置で示す図である。
【図３Ｂ】本発明の一実施形態によりドッキングステーションの外殻の縁の周りで枢着回転する回転可能なコネクタの拡大断面図で、コネクタを前方（図示されたように反時計方向）に完全に回転したところを示す図である。
【図４Ａ】本発明の一実施形態により安定化特徴をもつ支持面により支持された回転可能なコネクタを示す断面側面図である。
【図４Ｂ】本発明の一実施形態により安定化特徴をもつ支持面により支持された回転可能なコネクタを示す断面側面図である。
【図５Ａ】本発明の一実施形態によるバイアスメカニズム及び電子的接続を有する回転可能なコネクタの断面側面図である。
【図５Ｂ】本発明の一実施形態による図５Ａのコネクタ、バイアスメカニズム及び電気的接続の下面図である。
【図５Ｃ】本発明の一実施形態による図５Ａのコネクタ、バイアスメカニズム及び電気的接続の下面図である。
【図６Ａ】本発明の実施形態により種々の形状を有する外殻の縁の周りで枢着回転する回転可能なコネクタの断面側面図である。
【図６Ｂ】本発明の実施形態により種々の形状を有する外殻の縁の周りで枢着回転する回転可能なコネクタの断面側面図である。
【図７Ａ】本発明の一実施形態により異なる高さの縁を有する外殻の縁の周りで枢着回転する回転可能なコネクタの断面側面図である。
【図７Ｂ】本発明の一実施形態により異なる高さの縁を有する外殻の縁の周りで枢着回転する回転可能なコネクタの断面側面図である。
【図８Ａ】本発明の一実施形態により回転中にドッキングステーションへ引っ込む回転可能なコネクタの断面側面図である。
【図８Ｂ】本発明の一実施形態により回転中にドッキングステーションへ引っ込む回転可能なコネクタの断面側面図である。
【図８Ｃ】本発明の一実施形態により回転中にドッキングステーションへ引っ込む回転可能なコネクタの断面側面図である。
【発明を実施するための形態】
【００１２】
本発明の実施形態は、より耐久性のあるコネクタを備えたドッキングステーション（ドック）を提供する。そのような耐久性は、接続されたポータブル電子装置が著しい量の力をコネクタに課せないようにコネクタが動くのを許すことにより一部分達成される。例えば、限定された基準面（コネクタに接続されたときに電子装置にタッチする表面）では、ポータブル電子装置がその取り付け／取り外し軸から外れるように強制された場合に固定コネクタのジョイントが弱められる。そのような力は、ユーザが装置に対して届いたときに偶発的に発生し得る。ジョイントを弱めることのあるプッシュ力及び／又は装置の重量の力は、単にコネクタを動かす。
【００１３】
一実施形態では、例えば、コネクタは、軸外れ力が加わったときに力を良く分散するためにドックベースに対して回転するように構成され、即ち動かないことで力に完全に抵抗するのではなく力で動くようにされる。より耐久性のあるコネクタを提供する上で助けとなる他の特徴は、コネクタが直立位置にあるときにポータブル電子装置を支持するドッキングステーションの後部基準面と、幾つかの可動部をドックのベース内に保持することによりそれら可動部を保護するピボットメカニズムと、コネクタが前方に完全に回転する前にポータブル電子装置からコネクタを放出して、より耐久性のあるコネクタとする上で助けとなる引っ込めメカニズムとを含む。コネクタの厳密な動き、及びバイアスメカニズムからの力は、ユーザが電子装置を動かすときに望ましい動き及び感触を与えるように同調することができる。
【００１４】
ここで使用するポータブル電子装置は、個人の手（片手又は両手）で持つことのできるサイズ及び均整のものである。ポータブル電子装置は、例えば、これに限定されないが、オーディオ及び／又はビジュアル（ビデオ又は写真）信号を再生又は送信するメディアプレーヤ（例えば、ｉＰｏｄ）、及びユーザがワイヤレス接続を通してリモート通信できるようにする電話を含む。又、ポータブル電子装置は、ミニコンピュータ、タブレットコンピュータ、ＰＤＡ、インターネット又はｅ−メールベースの装置にも対応する。実際に、ポータブル電子装置は、本発明の譲受人であるカリフォルニア州クパチーノのアップル社により製造販売されている上述した特定又は専用装置（例えば、ｉＰｈｏｎｅTMのようなスマートホン）の組み合わせでよい。
【００１５】
本発明の実施形態は、図面を参照して以下に述べる。しかしながら、当業者であれば、添付図面を参照した以下の詳細な説明は、例示に過ぎず、本発明は、それら実施形態を越えて拡張できることが容易に明らかであろう。例えば、非ポータブル装置での実施形態が使用されてもよい。
【００１６】
図１は、本発明の実施形態によるコネクタアッセンブリ１００の斜視図である。このコネクタアッセンブリ１００は、表面１４０から突出するコネクタ１２０を備えている。コネクタ１２０は、一般的に、嵌合軸１３０を定義し、これに沿って、対応嵌合コネクタを取り付け及び除去することができる。対応嵌合コネクタは、例えば、電子装置に保持されたコネクタである。このコネクタは、軸１３０に沿ってスライドオン／オフし、コネクタに関連した電気的接点に結合し及び切断することができる。
【００１７】
１つの実施形態では、コネクタ１２０は、外壁及び表面から露出されて実質的に自由である（例えば、コネクタを取り巻く又はそれに隣接する壁がないか又は制限される）。従って、コネクタ１２０は、対応嵌合コネクタを経てこれに結合される電子装置を、その電子装置に対して設けられる基準面がないか又は制限された状態で、支持するように構成される。例えば、１つの実施形態では、コネクタ１２０は、くぼみ又は空洞内に配置されず、むしろ、その側部が露出されるように表面から外方に延びる。
【００１８】
コネクタ１２０は、基準面から露出されて実質的に自由とされるので、特に、電子装置が接続されたときには、望ましからぬ軸外れ力がコネクタ１２０に作用する。例えば、取り外し工程中に、電子装置が回転され、嵌合軸から離れるように押され、引っ張られて、コネクタ１２０に望ましからぬ力を与えることがある。例えば、嵌合軸１３０がｚ軸の方向である場合には、電子装置をｘ及びｙ方向に並進移動し、そしてｘ、ｙ及びｚ軸の周りで回転することにより、コネクタに望ましからぬ力が与えられることがある。更に、嵌合コネクタ間の摩擦のためにｚ軸に沿ってコネクタを引っ張る力／押す力が生じることがある。コネクタ１２０の構成は、望ましからぬ力の影響を受け易いエリアを招く。例えば、コネクタ１２０がｘ方向に広くそしてｙ方向に狭い（図示されたように）場合には、コネクタは、ｘ軸の周りの回転の影響を受け易い。
【００１９】
基準面を使用しないか又は限定された基準面を使用しながらコネクタ１２０に対するこれら形式の力を最小にするために、１つの実施形態では、コネクタアッセンブリ１００は、更に、コネクタ１２０に結合された力分散ジョイント１６０を備えている。この力分散ジョイント１６０は、（コネクタ１２０が動くのを許すことにより）これらの力、特に、コネクタ１２０から電子装置を回転することにより生じる軸外れ力を吸収できるように構成される。例えば、電子装置を傾斜すると、コネクタ１２０に曲げモーメントが作用し、コネクタが力分散ジョイント１６０と一緒に傾斜することになる。
【００２０】
力分散ジョイント１６０は、広範囲に変更されてもよい。あるケースでは、特定の方向の望ましからぬ力（例えば、ｘの周りでの回転）を吸収するように構成され、他のケースでは、複数の方向の望ましからぬ力（ｘ、ｙ、ｚの並進移動及び／又はｘ、ｙ、ｚの周りでの回転）を吸収するように構成される。力分散ジョイント１６０は、例えば、コネクタ１２０が動くのを許し、力がもはや固定ジョイントに作用しないようにし、即ち力が分散されるようにする。
【００２１】
力分散ジョイント１６０は、１つ以上の撓み、回転メカニズム、並進移動メカニズム、等を含むことができる。１つの具現化において、力分散ジョイント１６０は、望ましからぬ力がコネクタに与えられたときに弾性変形する従順な又は柔軟な材料で形成される。例えば、発泡材、スプリング、等が使用される。それとは別に又はそれに加えて、力分散ジョイント１６０は、望ましからぬ力がコネクタに与えられたときに弾性変形する１つ以上のモーションメカニズムから形成されてもよい。例えば、ピボット、スライド、等が使用されてもよい。種々の実施形態において、コネクタ１２０の下部区分が従順な又は柔軟な材料に埋め込まれて力分散ジョイント１６０を形成してもよいし、又はコネクタ１２０の下面が従順な又は柔軟な材料に取り付けられて、力分散ジョイント１６０を形成してもよい。
【００２２】
ある実施形態では、力分散ジョイント１６０に加えて限定基準面が使用されてもよい。例えば、フラットなポータブル電子装置（例えば、電話）のような電子装置をガイド及び支持する上で助けとなるように単一の基準面が使用されてもよい。この単一の基準面は、例えば、電子装置の背面を支持する上で助けとなる。又、この基準面は、電子装置を希望の位置（例えば、直立した又は実質的に直立した見る位置）に配置する上でも助けとなる。不都合にも、この基準面は、望ましからぬ力を招くことがある。例えば、ユーザは、取り外し工程中に基準面から離れるように装置を引っ張る（従って、コネクタを回転させる）。この特定のケースでは、力分散ジョイント１６０は、特に、それらの回転力を供給するように調整される。１つの例では、力分散ジョイント１６０は、コネクタ１２０が基準面から離れる方向に回転するのを許す。
【００２３】
力分散ジョイント１６０は、望ましからぬ力に対して望ましい力を与えるように同調又は減衰されることが明らかである。例えば、スプリングを使用して、望ましからぬ力（例えば、軸外れ力）の方向に対抗する方向にコネクタをバイアスする上で助けとすることができる。又、力分散ジョイント１６０は、例えば、表面１４０内又はその下で（破線で示すように）視野から隠されてもよいことが明らかである。
【００２４】
１つの実施形態において、表面１４０は、電子装置が結合されるように設計されたドッキングステーションの上面である。そのようなドッキングステーションは、ポータブル電子装置を、別のシステム又は装置、例えば、コンピュータ、電源、或いは周辺装置、例えば、モニタ、キーボード、スピーカ、等に素早く且つ容易に結合するためのプラットホームを形成することができる。又、ドッキングステーションは、電子装置のディスプレイを見るのに適した位置に電子装置を保持することもできる。
【００２５】
ドッキングステーションは、ワイヤード（例えば、ケーブル）又はワイヤレス（例えば、Ｂｌｕｅｔｏｏｔｈ（登録商標））接続を経て他の装置又はシステムと通信するスタンドアローンユニットでもよいし、或いはドッキングステーションは、他の装置又はシステムに直接一体化されてもよい。１つの実施形態において、コネクタ１２０は、スワイプ接触、ワイヤ、トレース、フレキシブル回路、等の柔軟な接続又は動きイネーブル接続を経てドッキングステーション内に収容された他の電子装置に接続されてもよい。これらの例の幾つかは、コネクタが位置間で移動できるようにたるみを含んでもよい。電子装置は、広範囲に変更されてもよい。電子装置は、例えば、回路板、コントローラ、コネクタ、等を含む。電子装置は、本体内に固定することもできるし、又はコネクタ１２０が動くときに電子装置とコネクタ１２０との間の接続を管理する上で助けとなるように可動に構成することもできる。例えば、プリント回路板は、レールに沿ってスライドしてもよい。幾つかの実施形態を以下に詳細に述べる。
【００２６】
コネクタ１２０は、ドッキングステーションの他のコネクタ、ポート、ジャック、トランシーバ、又はケーブルに接続され、他の装置又はシステムへの外部接続を与える。一体化されたドッキングステーションの場合には、コネクタ１２０は、ホスト装置又はシステムのコンポーネントに直接配線される。あるケースでは、コネクタ１２０は、実質的に、それ自身であるが、他のケースでは、ハウジングのような二次的構造を含むモジュールの一部分である。
【００２７】
種々の実施形態において、コネクタ１２０は、ＵＳＢ、Ｆｉｒｅｗｉｒｅ、又は他の標準的なコネクタフォーマットに対応する。一例において、コネクタ１２０は、アップル社のｉＰｏｄ（登録商標）及びｉＰｈｏｎｅTM装置に適合する３０ピンコネクタである。一実施形態において、３０ピンコネクタは、離間された並置ピンを単一行にもつ長くて薄い低背型（図示されたように）である。１つの実施形態において、電子装置は、雄コネクタプラグであるコネクタ１２０に接続する雌コネクタのリセプタクルコネクタを有する。別の実施形態では、電子装置は、ドックの雌コネクタプラグに接続する雄コネクタリセプタクルを有する。この実施形態では、雌リセプタクルは、ハウジングに位置される。
【００２８】
可動コネクタ１２０は、電子装置の対応コネクタに係合するため閉じた位置と１つ以上の開いた位置との間で移動する。１つの実施形態において、対応するコネクタは、閉じた位置にあるコネクタ１２０には係合できない。あるケースでは、コネクタの動きは、例えば、並進移動及び回転のような異なる動きの組み合わせでもよい。例えば、コネクタ１２０は、閉じた位置に入れられるようにスライドする間に直立位置から前方に回転することができる。
【００２９】
閉じた位置では、コネクタ１２０は、少なくとも一部分がドッキングステーションの境界内にあり、そしてあるケースでは、完全にドッキングステーションの境界内にある。コネクタ１２０は、それが閉じた位置にあるときにドッキングステーションのくぼみ又は空所又は空洞に収容される。あるケースでは、この構成は、コネクタ１２０が閉じた位置にあるときに上面１４０上に実質的に平らな表面を形成する。更に、ある構成においては、コネクタ１２０が視野から隠れてもよい。
【００３０】
他方、直立位置において、コネクタ１２０は、表面１４０から外方に延びる。これは、コネクタ１２０を、ある装置と接続するために本体の外側に完全に又は部分的に露出する必要があるという点で有益である。ここで使用する「直立位置」という語は、装置がコネクタ１２０に接続されたときにユーザが装置を使用できるコネクタ１２０の位置を含む。直立位置という語は、単一位置であるが、あるケースでは、複数の直立位置を指すこともある。例えば、コネクタ１２０は、異なる方向／位置／本体からの距離にコネクタを配置する複数の直立位置を有してもよい。これらの位置は、多数の指定の点にあってもよい。
【００３１】
本発明の実施形態によるドッキングステーションは、力分散ジョイント１６０の一部でもよいし又はそれとは個別のものでもよいバイアスメカニズムも備えている。このバイアスメカニズムは、コネクタ１２０を直立位置（装置が支持されて見える）に保持するように構成される。バイアスメカニズムは、例えば、コネクタ１２０を直立位置に向かってバイアスし続けるスプリング（弾性定数をもつ物体）を含む。ロックメカニズムは、コネクタ１２０を閉じた位置に保持することができる。ロックは、例えば、ドッキングステーションに位置されたボタンを経て解除され、このボタンを作動すると、バイアスメカニズムがコネクタ１２０を直立位置に移動することができる。解除されると、ロックがコネクタ１２０に再係合するまでスプリング力に抗してコネクタ１２０を表面１４０へ戻すように強制するだけで、コネクタ１２０が本体内に再配置される。１つの実施形態において、コネクタ１２０を種々の直立位置に保持し又は少なくとも安定化させるのに止め具が使用される。コネクタ１２０が回転する実施形態では、バイアスメカニズムは、コネクタ１２０がそれ以上回転しない終了点（例えば、前方完全回転）を越えてコネクタ１２０が回転することも防止する。
【００３２】
コネクタ１２０の動きが回転である実施形態に関して、コネクタ１２０は、コネクタとドックの本体を一緒にリンクする回転メカニズムを使用して動く。１つの例において、力分散ジョイント１６０は、回転メカニズムである。１つの実施形態では、コネクタ１２０は、回転メカニズムの他の部分が表面１４０の下に保護された状態で表面１４０において枢着回転することができる。別の実施形態では、コネクタ１２０及び回転メカニズムは、単一の一体的ユニットへと形成される。与えられる回転の量は、変化してもよく、電子装置がドックされるときの電子装置の望ましい方向、及び／又はドックの他の特徴に依存する。例えば、回転の量は、電子装置を実質的な直立位置に入れさせる（そのディスプレイ及び／又はユーザインターフェイスを露出させる）ことができるものである。回転メカニズムは、ギア、カム、従動子、等を含む。
【００３３】
図２Ａ−２Ｅは、本発明の一実施形態によるドッキングステーション２００の断面側面図である。上述したように、ドッキングステーション２００のようなドッキングステーションは、電子装置２１２を、別のシステム又は装置、例えば、コンピュータ、電源、或いは周辺装置、例えば、モニタ、キーボード、スピーカ、等に素早く且つ容易に結合するためのプラットホームを形成することができる。又、ドッキングステーション２００は、電子装置のディスプレイ２１３を見るのに適した位置に電子装置２１２を保持することもできる。
【００３４】
ドッキングステーション２００は、種々の電子装置、バラスト、等を含むベース２３０を備えている。ベース２３０は、ドッキングステーション２００をテーブルのような表面上でバランスをとって支持した状態に保持し、且つ電子装置２１２を、それがマウントされたときにバランスをとって支持した状態に保持するように働く。又、ドッキングステーション２００は、電子装置を直立位置に支持する上で助けとなるための１つ以上の基準面を与えることもできる。ここに示す実施形態では、ドッキングステーション２００は、ベース２３０から上方に突出する後部基準面２４０を備え、これは、電子装置２１２がドッキングステーション２００にマウントされたときに電子装置２１２の望ましい位置を定義する上で助けとなるものである。例えば、電子装置２１２の背面が後部基準面２４０に接触する。あるケースでは、付加的な基準面が設けられてもよい。例えば、１つ以上の側部支持部材が、電子装置２１２のコネクタをコネクタ２１４と嵌合する上で助けとなってもよい。
【００３５】
後部基準面２４０の角度は、一般的に、電子装置がマウントされるときその角度を定義する。この角度は、例えば、約０−３０°であり、より詳細には、後部基準面２４０は、広範囲に変化してもよい。例えば、ベース２３０に結合される１つ以上の後部支持部材で構成されてもよい。ベース２３０及び後部支持部材は、単一の一体的ユニットとして形成されてもよいし、又は一緒に取り付けられる個別の部品であってもよい。ほとんどのケースでは、ベース及び後部支持部材は、互いに固定される。しかしながら、後部支持部材の位置は、ベースに対して調整可能である（従って、見るための複数の位置又は移動するための引っ込んだ位置が可能となる）ことが意図される。あるケースでは、後部支持部材は、ベース２３０から取り外し可能である。後部支持部材の長さは、一般的に、電子装置を直立位置に適切に支持するのに必要なものに対応する。あるケースでは、電子装置２１２より高く延びるが、他のケースでは、電子装置２１２より低く延びる（図示されたように）。もちろん、上縁がほぼ同じ高さとなるように同様の長さを有してもよい。あるケースでは、後部支持部材は、ドッキングステーション２００によって異なる装置を支持できるように高さ調整可能である。
【００３６】
ドッキングステーション２００は、少なくとも１つのコネクタ２１４を備えている。このコネクタ２１４は、ベース２３０から上方に突出し、そして電子装置がドッキングステーション及び特に後部基準面に対して配置されたときに電子装置の対応コネクタとインターフェイスするように構成される。ある実施形態では、コネクタ２１４は、その一部分がベース２３０の内部にあり、そして外面の開口２１５を通して突出している。他の実施形態では、回転可能なコネクタ２１４が完全に外面の上にある。このコネクタは、後部支持部材と同様の角度で上方に突出する。従って、後部基準面２４０は、電子装置をコネクタに対して配置する間に基準面として使用される。コネクタは、例えば、軸２０５に沿ってインターフェイスする。即ち、それらは、軸２０５に沿って互いに結合／切断される。軸２０５は、コネクタの接点が互いに嵌合する方向を与える。
【００３７】
１つの実施形態において、コネクタ２１４は、回転メカニズム（図示せず）を経てベース２３０に回転可能に結合される。コネクタ２１４は、例えば、後部支持部材に実質的に平行な直立位置（図２Ｂ）と、直立位置から離れた角度の種々の回転位置（図２Ｃ及び２Ｄ）との間で回転することができる。回転メカニズムは、例えば、電子装置２１２が取り外し又は偶発的な打撃事象で前方へ強制されるとき、電子装置２１２が直立位置（ディスプレイを見るのに使用される）から他の位置へと前方に回転できるようにする。その結果として、時間と共にコネクタ２１４のジョイントに故障を招き得るコネクタへの不当な応力が減少又は防止される。
【００３８】
回転メカニズムは、広範囲に変更できる。ある実施形態では、回転メカニズムは、コネクタ２１４の底部に取り付けられるか又はその一部分であってベースのピボット穴にインターフェイスする円筒状又は他の形状のロッドのようなピボットを含む（その逆も考えられる）。例えば、ロッドは、ベース２３０の側部に取り付けてもよいし、或いはロッドの回転を許しながらロッドを保持する空洞上又はその中に置いてもよい。別の実施形態では、ベース２３０の外殻の縁の周りで回転が行われる。
【００３９】
又、ドッキングステーション２００は、コネクタ２１４を直立位置に存在させるようバイアスするバイアスメカニズム２２６も備えている。図示された実施形態では、バイアスメカニズム２２６は、長さがより短くされたときにより大きな力で後方に押すスプリング（例えば、ゴム又は同様の合成材料のような固体弾性材料）である。別の実施形態では、バイアスメカニズム２２６は、長さがより長くされたときに直立位置に存在させるようにコネクタ２１４を引っ張る。１つの態様において、バイアスメカニズム２２６の少なくとも１つの部分（例えば、コネクタから遠く離れた端）が位置保持されて、コネクタ２１４の下部が右へ移動するときにバイアスメカニズムの少なくとも１つの寸法が減少されるようにする。バイアスメカニズム２２６は、コネクタ２１４が前方に回転するときにその動きを同調及び減衰させるために種々のスプリング材料を使用する。１つの実施形態によるバイアスメカニズムの動作を、例えば、図３Ａ及び３Ｂを参照して、以下に説明する。
【００４０】
又、ドッキングステーションは、コネクタを電子回路２２２に電気的に結合するように構成された接続部２２４も備えている。この接続部２２４は、コネクタ２１４の下端の接点から、データ及び／又は電力コネクタである電子回路２２２への電気的接続を与える。例えば、接続部２２４は、コネクタを動かせるようにある程度のたるみをもつ柔軟な部材である。柔軟な部材は、例えば、常時教示されるものではないリボンケーブル又は柔軟な回路である。或いは又、スワイプ接点が使用されてもよい。
【００４１】
より詳細には、図２Ｂは、本発明の一実施形態により回転可能なコネクタ２１４が直立位置にあるときに後部２４０によって支持されるポータブル電子装置２１２に結合されたドッキングステーション２００を示す。図示されたように、回転可能なコネクタ２１４は、ポータブル電子装置２１４のリセプタクルコネクタを受け入れるように構成される。コネクタ２１４の下端の接点の一部分であるか又はそれに電気的に結合されるコネクタ２１４の上端の接点は、接続部２２４をリセプタクルコネクタに結合し、それにより、リセプタクルと電子回路２２２との間に電気的接続を与える。
【００４２】
図示されたように、後部基準面２４０は、ポータブル電子装置２１２がその直立位置において回転可能なコネクタ２１４に結合されたときに電子装置を支持するようにされる。１つの実施形態では、後部基準面２４０は、回転可能なコネクタ２１４がその後方全回転（図示されたように時計方向）に到達するまでポータブル電子装置２１２を支持する。別の実施形態では、後部基準面２４０は、ポータブル電子装置２１２が後方に完全に回転されたときにそれを支持する。後部基準面２４０は、接続されたポータブル電子装置２１２の重量を支持し、この重量が、例えば、装置２１２を見ているときにコネクタ２１４に力を及ぼし続けないようにする。このように、コネクタ２１４への歪を減少し、そしてコネクタ２１４をより耐久性のあるものにすることができる。
【００４３】
後方におけるコネクタ２１４への歪は、後部基準面２４０により減少できるが、ポータブル電子装置２１２が偶発的に前方に押され又は動かされることもある。例えば、ポータブル電子装置２１２をドッキングステーション２００から除去しようと試みるとき、ユーザは、ポータブル電子装置２１２を前方に打撃する。このような動きは、コネクタ２１４に歪を課することがある。しかしながら、コネクタ２１４が前方に回転できるので、力が最初に加えられたときに、そのような歪を減少し又は潜在的に排除することができる。
【００４４】
バイアスメカニズム２２６は、電子装置２１２がいったん取り付けられると後部基準面２４０により支持されるように適切な位置に入るよう保証することができる。又、バイアスメカニズム２２６は、装置２１２を取り付け易くする逆の力を与えることもできる。更に、装置２１２が前方に動かされるときに、バイアスメカニズム２２６は、後部基準面２４０に対して装置２１２を戻す力を与えることもできる。さもなければ、装置２１２は前方へ倒れ、コネクタ２１４を破壊し得る。図２Ｃ及び２Ｄは、そのようなバイアス力を示す。
【００４５】
図２Ｃは、ポータブル電子装置２１４が後部基準面２４０に対して前方に動かされる場合に回転可能なコネクタ２１４に接続されたドッキングステーション２００を示す。例えば、装置２１２は、ユーザの手で装置を掴むときに前方に押され又は引っ張られる。図示されたように、装置２１２は、もはや、後部基準面２４０に載せられていない。
【００４６】
装置２１２が前方に動くと、バイアスメカニズム２２６は、コネクタ１４を後方に（図示されたように時計方向に）押す力２６０を与える。１つの態様において、この力２６０は、装置２１２からコネクタに働く反時計方向（即ち、前方）の力を打ち消すに充分な強さである。前方の力は、例えば、装置が持ち上げられるか又は軽く突かれるだけであるときには、時間巾の短いものであることに注意されたい。装置２１２がもはや取り付けられない場合には、コネクタ２１４は、直立位置に戻される。装置が依然取り付けられるが、装置２１２からの前方の力が後方の力２６０より強くない（又はそれより長く存在しない）場合には、装置２１２は、後部基準面２４０に載せられるように戻される。
【００４７】
図示された実施形態では、コネクタ２１４の下部は、コネクタ２１４が回転するときに動く。コネクタ２１４が反時計方向に回転すると、その下部をバイアスメカニズム２２６に対して押し、バイアスメカニズム２２６は、バイアス材料（例えば、スプリング）の長さが減少するので増加した力で左へ押し戻される。１つの実施形態では、コネクタ２１４は、回転の少なくとも一部分の間にベース２３０の外殻の１つ以上の縁の周りで枢着回転する。
【００４８】
別の実施形態では、コネクタの枢着回転は、ドッキングステーションのベースの外殻の下で、例えば、コネクタの下で、生じる。更に別の実施形態では、コネクタの枢着回転は、例えば、コネクタ全体がベースの上面の上にあるときに、外殻の上面の上で生じる。これらの実施形態では、コネクタは、コネクタに機械的に結合されるロッドに固定の回転軸を有する。例えば、ロッドは、コネクタの下部付近の円筒状の穴を通過するか、又はロッドは、コネクタの表面に取り付けられる。種々の実施形態において、ロッドは、ベースの側部、内部下面又は内部上面に取り付けられ、ロッドが回転するが並進移動しないようにされる。ある実施形態では、バイアスメカニズムは、カーブしたスプリングで、その第１端がベースに取り付けられ（例えば、コネクタから前方の点において）、そして第２端がコネクタの表面に取り付けられる。このようにして、コネクタが一方向（例えば、前方）に回転するときには、コネクタの表面が第１端の取り付け点に接近するのでスプリングの長さが減少し、そして後方のバイアス力を与えることができる。別の例として、バイアスメカニズムは、回転メカニズムの一部分であるロッドの周りでループしてロッドに取り付けられるスプリングである。ロッドが回転すると、スプリングが変形し、バイアス力を発生する。
【００４９】
１つの態様において、バイアスメカニズム２２６は、装置２１２が前方に僅かに押された後に垂直になるのを防止することができる。例えば、押しの大きさが小さなもので且つ短い時間中だけである場合には、後方の力２６０は、装置が垂直位置を越えて回転するのを防止することができる。前方の回転が打ち消される限り、装置の重量と、後方の力２６０が回復し続けることで、装置２１２を後部基準面２４０で支持されるように戻す。しかしながら、装置２１２が垂直位置を越えて動く場合には、力２６０を著しく増加する必要がある。
【００５０】
図２Ｄは、ポータブル電子装置２１２が垂直位置を越えて移動される場合に回転可能なコネクタ２１４に接続されたドッキングステーション２００を示す。装置２１２は、図２Ｃより前方の位置で示されている。対応的に、後方の力２６０画像化されている（弧の長さがより長く示されている）。１つの実施形態では、バイアスメカニズム２２６の長さの減少で力２６０がより大きなものとなる。
【００５１】
力２６０のこの増加は、装置２１２の重量の成分より大きくされる。従って、（例えば、ユーザの手からの）外力がもはや装置２１２を押さない場合には、例えば、装置２１２が後部基準面２４０により支持される直立位置へ装置を戻すことができる。
【００５２】
コネクタ２１４の一部分が本体２３０の内部にありそしてコネクタ２１４の下部の動きが許される実施形態では、コネクタ２１４は、コネクタ２１４を本体から引き出したままにするという付加的な特徴を有する。
【００５３】
図２Ｅは、本発明の実施形態によるドッキングステーション２００の上面図である。コネクタ２１４は、本体２３０の開口２１５において実質的に垂直の位置で示されている。１つ以上の制限部材２１９（ピン、ロッド、突起、等）がコネクタ２１４の側部から開口２１５の縁を越えて延びている。従って、コネクタ２１４が上方に引っ張られる場合に、制限部材２１９は、コネクタ２１４が本体２３０の内部から完全に引き出されるのを防止する。１つの実施形態において、制限部材２１９への下向きの力が、開口２１５が存在する外面により与えられる。別の実施形態では、この下向きの力は、制限部材と外面との間の別の表面又は縁により加えられる。又、制限部材２１９は、コネクタ２１４が本体２３０の内部に完全に落ちないように（本体２３０の下部外面である）表面により下に支持されてもよい。
【００５４】
又、コネクタ２１４の他の特徴は、開口２１５の縁を越えて延びることができる。例えば、部材は、開口２１５の縁を越えて前方（図示された左）又は後方（図示された右）へ延びてもよい。別の実施形態では、コネクタ２１４は、本体２３０の内部の下部が開口２１５より大きくなるように角のある形状を有してもよい。
【００５５】
装置２１２を経てコネクタ２１４に力が加えられたときコネクタをダメージから保護するのに加えて、ある実施形態では、回転メカニズムがダメージから保護される。例えば、回転メカニズムが露出された場合には、回転メカニズムに粒子が当たったり、粒子で汚染されたりする。更に、機能又は審美的な理由で、ベースのフラットな面又は比較的均一な面が要望される。これらの特徴を与えるため、実施形態では、回転可能なコネクタが本体の外殻で枢着回転する。
【００５６】
図３Ａ及び３Ｂは、本発明の一実施形態によるコネクタアッセンブリ３００の断面側面図である。コネクタアッセンブリ３００は、一般的に、図２Ａ−２Ｅに示したシステムに対応する。コネクタアッセンブリ３００は、ドッキングステーションの本体の縁の周りでコネクタが枢着回転するような回転メカニズムを示している。
【００５７】
コネクタアッセンブリ３００は、外殻３３４（ドッキングステーションのベースの上壁のような）の開口３３３を通して配置された回転可能なコネクタ３１４を備えている。開口３３３は、公称直立位置（図３Ａに示す）と、傾斜位置（図３Ｂに示す）との間で回転可能なコネクタ３１４を回転できる形状を有する。外殻３３４は、コネクタ３１４の左の区分３３４ａと、コネクタ３１４の右の区分３３４ｂとを有する。外殻は、厚み（ｔ）を有するように示されている。厚み（ｔ）は、特定のスケールで描かれておらず、例えば、コネクタ３１４の高さとベースの高さについてもっと大きくても小さくてもよい。又、ベースは、例えば、ドッキングステーションが使用中であるときに支持面に載せることのできる下部３３２も有している。この下面３３２は、外殻３３４と一体的に形成され、同じ厚みｔを有してもよい。
【００５８】
コネクタが実質的に傾斜位置から公称位置へ回転するときに、回転可能なコネクタは、区分３３４ｂの縁３３７ｂの周りで枢着回転するように構成される。コネクタが実質的に公称位置から傾斜位置へ回転するときに、回転可能なコネクタは、区分３３４ａの縁３３７ａの周りで枢着回転するように構成される。その際に、開口３３３は、（公差のための最小ギャップを伴う）コネクタのサイズと実質的に同様のサイズ又は寸法とされる。この実施形態では、コネクタ３１４の下部は、その回転中に動くことが許される。
【００５９】
図３Ａにおいて、コネクタ３１４は、直立位置で示されている。１つの実施形態において、バイアスメカニズム３２６（図２Ａのバイアスメカニズム２２６と同様の）は、その弛緩長さ又はその付近にある。種々の実施形態において、コネクタ３１４は、例えば、縁３３７ｂ、縁３３７ｃ、表面３３６ａにより、又は区分３３４ａの下の別の物体（固定ストッパーのような）により、或いはその組み合わせにより、後方（図示された時計方向）に更に回転することが防止される。
【００６０】
図３Ａに示す位置では、コネクタ３１４は、表面３３６ｂの縁３３７ｂ及び表面３３６ａの縁３３７ｃにより更に時計方向に回転することが防止される。図３Ｂは、コネクタ３１４を前方（反時計方向）に完全に回転した状態で示している。図３Ｂに示すように、コネクタ３１４は、ここでは、表面３３６ａの縁３３７ａ及び全表面３３６ｂによって更に反時計方向に回転することが防止される。他の実施形態では、表面３３６ｂの下部は、回転を防止するためのストッパーとして働く。全表面３３６ｂがストッパーとして働くことで、大きなストップ力及び大きな耐久性を与えることができる。
【００６１】
ここに示す実施形態では、外殻３３４の開口３３３は、コネクタ３１４が図３Ａの時計方向に完全に回転した位置において両縁３３７ａ及び３３７ｂに接触しないに充分なほど大きい。１つの態様において、これは、コネクタ３１４が、時計方向より、垂直（即ち、下面３３２に垂直）から反時計方向に、更に回転できるためである。表面３３６ａ及び３３６ｂは、そのような非対称的な動き範囲を許すために傾斜が異なる。コネクタ３１４が両方向に同じだけ回転する場合には、コネクタ３１４がいずれかの方向に完全に回転されたときに縁３３７ａ、３３７ｂ間に全くスペースがないか又はスペースが減少される。他の位置では、コネクタ３１４は、一般的に、両区分３３４ａ及び３３４ｂにタッチせず、又、どちらの区分にもタッチしないこともある。
【００６２】
コネクタ３１４の下部が後方に（図示された右に）動くことが許されるとき、コネクタ３１４の上部は、左に動くことができる（例えば、接続されたポータブル電子装置２１２が動く結果として）。又、コネクタ３１４の下部が動くときには、バイアスメカニズム３２６も動き、コネクタ３１４を図３Ａの直立位置へ戻そうとする力を与える（が、ある実施形態では、その力は、ポータブル電子装置から与えられる力に打ち勝つに充分な強さではない）。従って、外殻３３４の縁は、コネクタ３１４の回転の種々の部分中に枢着回転部として働く。外殻３３４の縁を枢着回転部として働かせることで、区分３３４ａ及び３３４ｂをコネクタ３１４に接近させることができる。従って、開口３３３を極めて小さくすることができる。小さな開口にすることで、ゴミ、屑又は他の外来物体がベースの内部コンポーネントへ入ることを防止できる。更に、１つの実施形態では、コネクタ３１４が公称直立位置にあるときに、コネクタ３１４が縁３３７ｃ及び縁３３７ｂにタッチすることによりシールを形成することができる。従って、液体が開口３３３を通してドックに入るのを防止することもできる。
【００６３】
１つの実施形態では、コネクタ３１４を縁（例えば、縁３３７ａ又は３３７ｂの一方）に取り付けることができるが、他の実施形態では、そのような取り付けは行われない。そのような取り付けは、ある実施形態では、ヒンジ又は他のロータリメカニズムから形成されて、固定の回転軸を許すが、他の実施形態では、固定の回転軸をもつことがない。
【００６４】
１つの実施形態において、許される回転量は、各表面３３６ａ及び３３６ｂの角度３３８ａ及び３３８ｂを選択することにより一部分制御することができる。表面３３６ａ及び３３６ｂの角度は、変更することができる。１つの実施形態では、角度３３８ａは、角度３３８ｂより小さい。そのような実施形態では、コネクタ３１４は、時計方向より、垂直位置から反時計方向に更に回転することができる。別の実施形態では、許される回転の量は、縁３３７ａと縁３３７ｂとの間のギャップのサイズによって一部分制御することができる。
【００６５】
又、種々の実施形態において、コネクタ３１４の下部は、バイアスメカニズム３２６、ガイド面（例えば、下部３３２、又は表面３３４と３３２との間の別の表面）、（例えば、コネクタ３１４から延びるロッドを取り付けできる）ベースの側部のノッチ、又は他の適当な支持体によって支持することができる。１つの実施形態では、ガイド面は、比較的フラットであり、一方、他の実施形態では、ガイド面は、コネクタ３１４のための異なる安定した直立位置を与えるために、例えば、カーブ又はノッチのような特徴を有することができる。
【００６６】
図４Ａ及び４Ｂは、本発明の一実施形態によるコネクタアッセンブリ４００を示す断面側面図である。この実施形態では、回転可能なコネクタ４１４は、複数の直立位置を許す安定化特徴（１つ又は複数）を有する支持面４５５により支持される。図面に示された異なる実施形態の特徴を、他の図面に示された他の実施形態の他の特徴と結合してもよいことに注意されたい。例えば、図４Ａ及び４Ｂの実施形態の特徴を、他の実施形態（例えば、図３Ａ及び３Ｂに示す実施形態）の特徴と結合することができる。
【００６７】
図４Ａにおいて、コネクタ４１４は、支持面４５５に沿って動くカーブした部分４５０（例えば、円筒形）を下部に有する。このカーブした部分４５０は、個別の断片でもよいし、又はコネクタ４１４（例えば、コネクタのハウジング）と一体的に形成されてもよい。一実施形態では、カーブした部分４５０は、回転するホイールである。別の実施形態では、カーブした部分４５０がスライドする。種々の実施形態において、カーブした部分４５０は、コネクタ４１４の側縁のみと結合されるか、コネクタ４１４の下縁のみと結合されるか、又はその両方と結合される。例えば、支持（ガイド）面４５５は、コネクタ４１４の縁を越えて存在する２つの個別の表面であり、カーブした部分４５０は、コネクタ４１４に取り付けられるか又はその側縁を越えて延びる。
【００６８】
１つの実施形態において、カーブした部分４５０は、表面４５５を横切ってスライドする。別の実施形態では、カーブした部分４５０は、そのカーブした部分４５０がホイール、円筒又は球であるときには、それが表面４５０に沿って移動するにつれて回転する。カーブした部分４５０及び支持面４５５は、コネクタ４１４の回転を許す回転メカニズムであるか又はその一部分である。外殻区分４３４ａ及び４３４ｂ、或いは外殻区分４３４ａ及び４３４ｂの部分（縁及び表面のような）も、回転メカニズムの一部分である。
【００６９】
支持面４５５は、異なる直立位置を与えるための輪郭、止め部又は他のそのような特徴を有する。例えば、図４Ａにおいて、カーブした部分４５０は、支持面４５５の谷４５５ａに座る。コネクタ４１４が前方（反時計方向）に回転されると、谷の右側の山の上昇がそのような動きと逆になる。このような実施形態では、支持面４５５は、バイアスメカニズムとして働くか、又は別のバイアスメカニズムに関連して働く。
【００７０】
コネクタ４１４が充分な力のもとで回転するとき、カーブした部分４５０は、谷４５５ｂへと移動する。谷４５５ｂは、谷４５５ａにより達成されるものとは異なる直立位置にコネクタ４１４を保持するための別の止め具として働く。図４Ｂに示したように、カーブした部分４５０は、外殻４３４の区分４３４ａ及び４３４ｂの形状により許されるようにコネクタ４１４が前方に完全に回転されることにほぼ対応する谷４５５ｃに存在する。
【００７１】
図４Ａ及び４Ｂには３つの谷をもつものとして示されているが、表面４５５は、より多くの谷があってもよいし、より少ない谷があってもよいし、又は谷がなくてもよい。又、谷は、同じ高さでも異なる高さでもよく、例えば、その勾配が徐々に増加／減少してもよい。更に、支持面４５５は、谷４５５ｂの後に増加し続けてもよく（又は少なくとも山の後に平らにされてもよく）、従って、完全な前方回転に対応する谷４５５ｃをもたなくてもよい。支持面４５５のそのような増加高さを全回転時にもたせると、コネクタ４１４を後方（時計方向）に押すための大きなバイアス力を与えることができる。
【００７２】
回転可能なコネクタとドッキングステーションの電子回路との間の電気的接続は、上述したように、種々の仕方で構成される。１つの実施形態では、バイアスメカニズム及び電気的接続が同じ平面に存在する。これら実施形態の幾つかについて以下に説明する。
【００７３】
図５Ａは、本発明の一実施形態によりバイアスメカニズム５２６及び電子的接続５２４を有する回転可能なコネクタ５１４の断面側面図である。図５Ａにおいて、電気的接続５２４及びバイアスメカニズム５２６は、少なくとも一部分が同じ平面内に存在する。これは、種々の異なる仕方で達成される。例えば、電気的接続５２４は、バイアスメカニズム５２６を通過するか、又は横方向に分離される。
【００７４】
この実施形態では、電気的接続５２４は、コネクタ５１４の背面５０２においてコネクタ５１４に結合される（が、コネクタの下部付近である）。他の実施形態では、接続５２４は、コネクタ５１４の下面で行われてもよい。
【００７５】
又、図５Ａは、ストッパー５９０により回転量をコントロールできる実施形態を示す。コネクタ５１４の下部は、ストッパー５９０に接触し、これは、時計方向（例えば、後方）の更なる回転を防止する。図示された実施形態では、コネクタ５１４は、ストッパー５９０と縁５３７との間に拘束され、時計方向の更なる回転が防止される。
【００７６】
図５Ｂ及び５Ｃは、本発明の一実施形態による図５Ａのコネクタ５１４、バイアスメカニズム５２６及び電気的接続５２４の下面図である。コネクタ５１４の下面は、電気的接続５２４に結合されて示されている。電気的接続５２４は、リボンケーブルであるが、異なる仕方で接続が達成されてもよい。ドッキングステーションの本体の外部形状５８０は、図５Ｂと５Ｃとの間の位置の相違を比較するための参照として与えられる。
【００７７】
バイアスメカニズム５２６は、２つの個別の部材、即ち第１バイアス部材５２６ａ及び第２バイアス部材５２６ｂを含む。明らかなように、これらバイアス部材５２６ａ、５２６ｂは、接続５２４の縁の外側の位置においてコネクタ５１４に載せられる。２つのバイアス部材を各側に置くことで、１つだけの場合より均一な力を与えることができる。或いは又、バイアスメカニズムは、両端に２つの電気的接続がある状態で中央に置くこともできる。コネクタ５１４の下部が動くとき、バイアスメカニズム５２６の後端は、固定素子５２７で位置保持される。
【００７８】
図５Ｂは、コネクタを第１位置（例えば、直立位置）において示している。コネクタが前方に回転するにつれて、コネクタ５１４の下部が、図５Ｃに示すように、ドッキングステーションの後部に向けて移動する。固定素子５２７を伴うこの移動で、バイアス部材の長さが減少し、バイアス力が増加する。
【００７９】
別の実施形態では、電気的接続５２４は、バイアスメカニズム５２６としても働く。例えば、接続５２４は、コネクタ５１４の動きを許すために柔軟であるが、スチフネスも有し、従って、スプリングとして作用する。
【００８０】
ドッキングステーションのベースの外殻は、本発明の実施形態と一貫した種々の形状をもつことができる。例えば、図６Ａ及び６Ｂは、本発明の実施形態により種々の形状を有する外殻の縁の周りで枢着回転する回転可能なコネクタ６１４の断面側面図である。図６Ａにおいて、外殻６３４は、コネクタ６１４の前側及び後側に隣接して各々配置された区分６３４ａ及び６３４ｂを有している。左区分６３４ａは、上面６３１ａ及び下面６３３ａを有する。右区分６３４ｂは、上面６３１ｂ及び下面６３３ｂを有する。
【００８１】
図６Ａにおいて、上面６３１ａ、６３１ｂは、カーブしており、一方、下面６３３ａ、６３３ｂは、フラットである。図６ｂにおいて、上面６３１ｃ、６３１ｄは、カーブした表面を有し、そして下面６３８ｃ、６３８ｄもカーブしているか、さもなければ、非フラットである。他の実施形態では、下面６３８ｃ及び６３８ｄだけがカーブしてもよい。
【００８２】
図６Ａの実施形態において、区分６３４ａ、６３４ｂは、ベース６３９ａ及び６３９ｂの残部とは個別に、例えば、ベースのくぼみに適合するトリムとして、形成される。上述した実施形態のコネクタが立ち上るところの開口を有する外殻の部分も、ベースのくぼみに適合するトリムで構成されてもよい。更に、コネクタに接触する面及び点は、以下に述べるように種々の形状を有してもよい。
【００８３】
図７Ａ及び７Ｂは、本発明の一実施形態により異なる高さの縁を有する外殻７３４の縁の周りで枢着回転する回転可能なコネクタ７１４の断面側面図である。
【００８４】
図７Ａにおいて、コネクタ７１４は、後方（図示されたように時計方向）に完全に回転されて示されている。コネクタ７１４は、縁７３７ｂと、この縁７３７ｂの上の表面区分７３６ｂとに接触する。表面区分７３６ｂをもたせたことで、表面７３１ｂをより高くすることができると共に、コネクタ７１４の回転を停止するための大きな表面積も与え、縁７３７ｂの摩耗及び引き裂きを減少することができる。特に、直立位置が最も頻繁な回転位置である場合には、そのような耐久性は、完全な前方（反時計方向）位置よりも重要である。
【００８５】
表面７３１ｂから表面７３１ａへのより規則的な傾斜を与えるため、外殻の区分７３４ａの縁７３７ａは、縁７３７ｂより高さが高い。図示されたように、表面７３１ｂから表面７３１ａへの傾きは、下方勾配である。縁７３７ａを高くすることで、表面７３１ｂから表面７３１ａへの一貫した傾斜を与えるだけでなく、区分７３４を、それがコネクタ７１４に接触してその動きに抵抗する場所で、より厚く且つより強くすることもできる。
【００８６】
別の実施形態では、表面７３６ａも、表面７３６ｂと同じ方向において、縁７３７ａの上の上部区分を有する。上述したように、表面７３６ａの上部も、大きな耐久性を与えると共に、より厚く且つより強い表面７３４ａを許す。
【００８７】
図７Ｂにおいて、コネクタ７１４は、前方（図示された反時計方向）に完全に回転された状態で示されている。コネクタ７１４は、縁７３７ｂの下にある表面７３６ｂの下部区分により回転が停止され且つ縁７３７ａにより停止される。１つの態様において、コネクタ７１４は、縁７３７ｂが垂直方向に下げられた場合には、更に前方に回転することができ、又は縁７３７ｂから更に動かすことができる。
【００８８】
又、表面７３１ｂから表面７３１ａへの一貫した勾配をもたせることで、ドッキングステーションのベースが後方に向けてより厚くなるので、ドッキングステーションに、ドッキングステーションの後方に向けて比較的大きな重量を与えることができる。後方に向けてより大きな重量がかかるので、コネクタに前方に充分な力がかかる場合には、ドッキングステーションが次いで（設計上）ひっくり返り、コネクタを破壊するかもしれない全ての力がコネクタに留まらないようにする。
【００８９】
又、ある実施形態では、コネクタが回転し過ぎたときにポータブル電子装置からコネクタを除去（放出）する上で助けとなるようにすることにより、回転可能なコネクタが破壊するのを防止することができる。このようにして、コネクタは、ポータブル電子装置がコネクタにもはや結合されないので、回転し過ぎたポータブル電子装置からの力を経験することはもはやない。ある実施形態では、この放出は、コネクタの少なくとも一部分をドッキングステーションの本体へ引っ込めることにより達成することができる。
【００９０】
図８Ａ−８Ｃは、本発明の一実施形態により回転中にドッキングステーションへ引っ込む回転可能なコネクタ８１４の断面側面図である。
【００９１】
図８Ａは、例えば、接続されたポータブル電子装置をドッキングステーションの後部基準面（図示せず）により受け入れできる場合にコネクタが直立位置へと後方（時計方向）に完全に回転されるところを示す。ガイドポスト８５０がコネクタ８１４に結合されるか又はその一部分として形成される。例えば、コネクタ８１４の側縁に円筒状ロッドが取り付けられる。他の実施形態では、ガイドポストは、長方形、楕円形、又は他の適当な幾何学形状でよい。バイアスメカニズム８２６は、他の実施形態と同様に、コネクタ８１４を直立位置へとバイアスするように使用される。
【００９２】
ガイド平面８５５（この実施形態では２つの表面８５５ａ及び８５５ｂより成る）は、コネクタ８１４が回転するときにガイドポスト８５０の動きをガイドすることができる。コネクタ８１４の下部又は他の部分の動きをこのようにガイドすることで、回転中に引っ込み運動が与えられる。ガイド平面８５５は、並列及び水平に示されているが、他の形状及び方向が使用されてもよい。例えば、下部ガイド平面８５５ｂは、図４Ａ及び４Ｂの支持面４５５と同じ形状を有してもよい。
【００９３】
ガイドポスト８５０及びガイド面８５５は、コネクタ８１４が垂直位置から離れるように回転するときにそれを引っ込める引っ込めメカニズムをなす。又、ガイドポスト８５０及びガイド面８５５は、コネクタ８１４を回転できるようにする回転メカニズムでもよいし又はその一部分でもよい。又、外殻の区分８３４ａ及び８３４ｂ、或いは外殻の区分８３４ａ及び８３４ｂの一部分（縁及び面のような）が回転メカニズムの一部分であってもよい。
【００９４】
図８Ｂは、更に垂直な方向に回転されたコネクタ８１４を示す。この位置では、コネクタ８１４は、外殻の区分８３４ａの縁８３７ａに接触するものとして示されている。１つの態様において、コネクタ８１４のこの位置は、コネクタ８１４が前方に回転されたときに生じる。この位置から後方へ移動すると、コネクタ８１４は、外殻の区分８３４ｂの縁に接触してその周りで枢着回転する。
【００９５】
図８Ｂにおいて、外殻の上面８３１ｂの上に延びるコネクタ８１４の部分は、図８Ａに示す位置に対して増加されている。これは、コネクタ８１４に沿った下部ガイド面８５５ｂから表面８３１ｂへの距離が、図８Ａの場合より短いからである。この距離は、コネクタがより垂直であるために短くなる。
【００９６】
上面８３１ｂより下のコネクタ８１４の部分が少ないので、コネクタのより多くが表面８３１ｂの上にある。従って、下部ガイド面８５５ｂは、ガイドポスト８５０を同じ高さに保持することによりコネクタ８１４を押し上げることができる。しかしながら、コネクタ８１４が垂直位置を越えて前方（反時計方向）に回転するにつれて、コネクタ８１４のより多くが上面８３１ｂの下となり、上の部分がより少なくなる。この動きは、コネクタ８１４を効果的に引っ込める。
【００９７】
図８Ｃは、コネクタ８１４を前方（図示された反時計方向）に完全に回転した状態で示す。コネクタ８１４が前方に回転するにつれて、ガイドポスト８５０は、後方（図示された右）に動き、そして垂直からのコネクタ８１４の角度が増加する。ガイド面８５５ａは、ガイドポスト８５０が表面８３１ｂへ接近するのを防止するので、表面８３１ｂより下のコネクタ８１４の部分が増加する。上面８３１ｂより下のコネクタ８１４の部分が増加するので、上面８３１ｂより上の部分が減少して、コネクタ８１４の引っ込みを生じさせる。
【００９８】
換言すれば、コネクタ８１４が垂直位置を越えて回転すると、コネクタ８１４は、ガイド平面８５５ａによりドッキングステーションの本体へと更に引っ張られる。上面８３１ｂより上のコネクタ８１４の部分が充分に少なくなると、コネクタ８１４は、ポータブル電子装置と結合されたままとなれず、従って、コネクタ８１４は、ポータブル電子装置から放出される。
【００９９】
そのような放出は、コネクタが完全に水平となるまで前方に回転できない実施形態では有益である。このような状況では、コネクタが前方に完全に回転されたときに、前方への力が続くことでコネクタが破壊され易い。図８Ａ−８Ｃの実施形態は、コネクタ８１４が前方完全回転位置に到達する前にポータブル装置からのコネクタ８１４の放出（解離）を促進することによりコネクタ８１４が前方に押され続けるのを防止することができる。
【０１００】
ここに述べる実施形態は、ポータブル電子装置に結合するコネクタを伴うドッキングステーションを提供する。コネクタは、前方の力が加わるときに動く（例えば、回転する）ことができ、これは、コネクタが破壊されるのを防止する上で助けとなる。ある実施形態では、コネクタを直立位置に保持するためにバイアスメカニズムが使用される。電子装置をコネクタと共に垂直位置に支持するために後部基準面を設けることができる。更に、ある実施形態では、コネクタは、前方に回転されたとき、本体へと引っ込み、これにより、コネクタが歪で破壊される前に、接続された装置からの放出が促進される。
【０１０１】
ある実施形態では、ドックの外殻の縁は、コネクタの枢着回転部（ピボット）として働く。そのような実施形態では、コネクタが延びる開口をより小さくすることができ、ゴミがドック内に落下するおそれを減少することができる。
【０１０２】
特定の実施形態の特定の詳細は、本発明の精神及び範囲から逸脱せずに、適当に組み合わせることもできるし、又はここに図示して説明されたものから変更することもできる。更に、本発明は、スピーカ、ビデオスクリーンコンピュータ、及び充電メカニズムのようなドッキングステーションの他の特徴を提供することもできる。
【０１０３】
本発明の規範的実施形態の以上の説明は、単なる例示に過ぎない。この説明は、余すところのないものでもないし、本発明を、ここに述べた厳密な形態に限定するものでもなく、以上の教示に鑑み、多数の変更や修正が考えられる。本発明の原理及びその実際の応用を最良に説明するべく実施形態を選択して説明したので、当業者であれば、本発明を種々の実施形態に最良に利用することができると共に、意図された特定の用途に適するように種々の変更を加えて最良に利用することができよう。
【符号の説明】
【０１０４】
１００：コネクタアッセンブリ
１２０：コネクタ
１３０：嵌合軸
１４０：表面
１６０：力分散ジョイント
２００：ドッキングステーション
２０５：軸
２１２：電子装置
２１３：ディスプレイ
２１４：コネクタ
２１５：開口
２２２：電子回路
２２６：バイアスメカニズム
２３０：ベース
２４０：後部基準面
２６０：後方の力
３００：コネクタアッセンブリ
３１４：回転可能なコネクタ
３２６：バイアスメカニズム
３３２：下部
３３３：開口
３３４：外殻
３３４ａ、３３４ｂ：区分
３３７ａ、３３７ｂ：縁
３３６ａ、３３６ｂ：表面
３３８ａ、３３８ｂ：角度
４００：コネクタアッセンブリ
４１４：回転可能なコネクタ
４３４ａ、４３４ｂ：区分
４５０：カーブした部分
４５５：支持面
５１４：回転可能なコネクタ
５２４：電気的接続
５２６：バイアスメカニズム
５３７：縁
５９０：ストッパー
６１４：回転可能なコネクタ
７１４：コネクタ
８１４：回転可能なコネクタ
【図１】
2013516678.tif 000003
【図２Ａ】
2013516678.tif 000004
【図２Ｂ】
2013516678.tif 000005
【図２Ｃ】
2013516678.tif 000006
【図２Ｄ】
2013516678.tif 000007
【図２Ｅ】
2013516678.tif 000008
【図３Ａ】
2013516678.tif 000009
【図３Ｂ】
2013516678.tif 000010
【図４Ａ】
2013516678.tif 000011
【図４Ｂ】
2013516678.tif 000012
【図５Ａ】
2013516678.tif 000013
【図５Ｂ】
2013516678.tif 000014
【図５Ｃ】
2013516678.tif 000015
【図６Ａ】
2013516678.tif 000016
【図６Ｂ】
2013516678.tif 000017
【図７Ａ】
2013516678.tif 000018
【図７Ｂ】
2013516678.tif 000019
【図８Ａ】
2013516678.tif 000020
【図８Ｂ】
2013516678.tif 000021
【図８Ｃ】
2013516678.tif 000022
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
ポータブル電子装置のためのドッキングステーションにおいて、
開口を有する外殻を含むベースと、
前記ベースに結合され且つ前記ベースの外殻の開口を通して突出する回転可能なコネクタであって、前記外殻の下に第１区分をそして前記外殻の上に第２区分を有し、更に、ポータブル電子装置のリセプタクルコネクタを受け入れてそれに電気的に結合されるように構成された回転可能なコネクタと、
を備え、前記回転可能なコネクタは、回転の少なくとも一部分中に、前記回転可能なコネクタの表面及び前記外殻の周りで枢着回転し、そして前記回転可能なコネクタが枢着回転するとき、前記回転可能なコネクタの前記第１区分の下端及び前記第２区分の上端が動くようにした、ドッキングステーション。
【請求項２】
前記外殻は、
前記開口の第１の側に第１区分を含み、この第１区分は、第１の縁を含み、前記回転可能なコネクタは、その回転可能なコネクタが第１の方向に回転するときにその第１の縁において枢着回転し、
前記開口の反対側に第２区分を更に含み、この第２区分は、第２の縁を含み、前記回転可能なコネクタは、その回転可能なコネクタが反対方向に回転するときにその第２の縁において枢着回転する、
請求項１に記載のドッキングステーション。
【請求項３】
前記第１の縁は、前記第２の縁と同じ高さである、請求項２に記載のドッキングステーション。
【請求項４】
前記外殻の下で前記コネクタの区分に結合され且つ前記回転可能なコネクタを直立位置に向けてバイアスするバイアスメカニズムを更に備え、前記回転可能なコネクタは、その回転可能なコネクタが直立位置にあるときに前記ベースの外殻の開口にシールを形成し、そのシールは、前記回転可能なコネクタが第１の縁に接触し且つ第２区分に接触することで形成される、請求項２に記載のドッキングステーション。
【請求項５】
前記外殻の第１区分は、前記回転可能なコネクタを向いた第１の表面を含み、この第１の表面は、前記第１の縁の下にあり、そして前記回転可能なコネクタが垂直位置にあるときに前記回転可能なコネクタから離れる角度にあり、
前記外殻の第２区分は、前記回転可能なコネクタを向いた第２の表面を含み、この第２の表面は、前記第２の縁の下にあり、そして前記回転可能なコネクタが垂直位置にあるときに前記回転可能なコネクタから離れる角度にある、請求項２に記載のドッキングステーション。
【請求項６】
前記回転可能なコネクタは、その回転可能なコネクタが直立位置にあるときに前記第１の縁に接触し、前記第１の縁の下にある前記第１の表面の角度は、前記第２の縁の下にある前記第２の表面の角度より大きい、請求項５に記載のドッキングステーション。
【請求項７】
前記第１の縁の上にある前記第１の表面の部分は、前記回転可能なコネクタがその垂直位置にあるときに前記回転可能なコネクタから離れる角度にある、請求項５に記載のドッキングステーション。
【請求項８】
前記回転可能なコネクタは、少なくとも１つのカーブした部分を前記回転可能なコネクタの下部に含み、そして更に、
回転中に前記少なくとも１つのカーブした部分に接触して前記回転可能なコネクタの位置をガイドする少なくとも１つのガイド面を含む、請求項１に記載のドッキングステーション。
【請求項９】
前記外殻の下で前記コネクタの区分に結合され且つ前記回転可能なコネクタを直立位置に向かってバイアスするバイアスメカニズムを更に備えた請求項１に記載のドッキングステーション。
【請求項１０】
電子回路と、
前記回転可能なコネクタと前記電子回路との間の電気的接続と、
を備え、前記バイアスメカニズムは、
前記電気的接続の第１の側の第１の縁において前記回転可能なコネクタに結合された第１のスプリングと、
前記電気的接続の第２の側の第２の縁において前記回転可能なコネクタに結合された第２のスプリングと、
を含む、請求項９に記載のドッキングステーション。
【請求項１１】
ポータブル電子装置のためのドッキングステーションにおいて、
下面及び上部外殻を有し、その上部外殻が開口を有するようなベースと、
前記上部外殻の開口を通して突出する回転可能なコネクタであって、前記上部外殻の下に第１区分をそして前記上部外殻の上に第２区分を有し、更に、ポータブル電子装置のリセプタクルコネクタを受け入れてそれに電気的に結合されるように構成された回転可能なコネクタと、
前記回転可能なコネクタの第２区分の上端が前記ドッキングステーションの前部に向かって回転するときに前記上部外殻の上にある前記回転可能なコネクタの第２区分を減少させる引っ込めメカニズムであって、前記回転可能なコネクタの上端が前記ドッキングステーションの前部に向かって回転するときに前記回転可能なコネクタの第１区分の下端が前記ドッキングステーションの後部に向かって動くようにした引っ込めメカニズムと、
を備えたドッキングステーション。
【請求項１２】
前記引っ込めメカニズムは、前記回転可能なコネクタが前記ドッキングステーションの前部に向かって前方に回転されたとき前記ポータブル電子装置のリセプタクルコネクタから前記回転可能なコネクタを放出させる、請求項１１に記載のドッキングステーション。
【請求項１３】
ポータブル電子装置のためのドッキングステーションにおいて、
下面及び上部外殻を有し、その上部外殻が開口を有するようなベースと、
前記上部外殻の開口を通して突出する回転可能なコネクタであって、前記上部外殻の下に第１区分をそして前記上部外殻の上に第２区分を有し、更に、ポータブル電子装置のリセプタクルコネクタを受け入れてそれに電気的に結合されるように構成された回転可能なコネクタと、
前記回転可能なコネクタが実質的に垂直な方向から前方に回転するときに前記回転可能なコネクタの第１区分の一部分を水平方向に並進移動させる引っ込めメカニズムと、
を備えたドッキングステーション。
【請求項１４】
前記引っ込めメカニズムは、更に、前記回転可能なコネクタがドッキングステーションの前部に向かって回転するときに前記上部外殻の上の前記回転可能なコネクタの第２区分を減少させ、前記回転可能なコネクタの第２区分が前記ドッキングステーションの前方に向かって回転するときに前記回転可能なコネクタの第１区分の下端が前記ドッキングステーションの後部に向かって動く、請求項１３に記載のドッキングステーション。
【請求項１５】
前記回転可能なコネクタの前方回転の少なくとも一部分中に、前記回転可能なコネクタは、前記上部外殻の表面の周りで回転し、そして前記回転可能なコネクタが回転するときには前記回転可能なコネクタの第１区分の下端及び第２区分の上端が動く、請求項１３に記載のドッキングステーション。
【請求項１６】
前記回転可能なコネクタの前方回転の少なくとも一部分中に、前記回転可能なコネクタは、前記上部外殻の外面上の点の周りで回転し、そして前記回転可能なコネクタが回転するときには前記回転可能なコネクタの第１区分の下端及び第２区分の上端が動く、請求項１３に記載のドッキングステーション。
【請求項１７】
ポータブル電子装置のためのドッキングステーションにおいて、
下面及び上部外殻を有し、その上部外殻が開口を有するようなベースと、
回転可能なコネクタが実質的に垂直方向に前記開口から第１距離だけ延びる第１位置と、この第１位置にあるときに回転可能なコネクタの実質的な垂直方向とは異なる第２方向に回転可能なコネクタが前記開口から前記第１距離より短い第２距離だけ延びる第２位置との間で移動可能な回転可能なコネクタと、
前記第１位置と第２位置との間の前記回転可能なコネクタの方向の変化を、前記開口の下の前記回転可能なコネクタの部分の水平運動へと変換して、前記第１距離から第２距離への前記開口からの前記回転可能なコネクタの延びの変化を生じさせる引っ込めメカニズムと、
を備えたドッキングステーション。
【請求項１８】
ポータブル電子装置のためのドッキングステーションにおいて、
開口を有する外殻を有するベースと、
前記外殻の開口を通して突出する回転可能なコネクタであって、前記外殻の下に第１区分をそして前記外殻の上に第２区分を有し、更に、ポータブル電子装置のリセプタクルコネクタを受け入れてそれに電気的に結合されるように構成された回転可能なコネクタと、
前記回転可能なコネクタの第１区分に結合された少なくとも１つのガイドポストと、
回転中に前記少なくとも１つのガイドポストに接触しそして前記回転可能なコネクタの位置をガイドする少なくとも１つのガイド面と、
を備え、前記少なくとも１つのガイドポストは、前記回転可能なコネクタの回転中に前記少なくとも１つのガイド面に沿って移動する、ドッキングステーション。
【請求項１９】
前記少なくとも１つのガイド面は、
前記少なくとも１つのガイドポストの下に第１のガイド面を含み、この第１のガイド面は、前記回転可能なコネクタが垂直位置に向かって回転するときに前記回転可能なコネクタに上方の力を与え、
前記少なくとも１つのガイドポストの上に第２のガイド面を含み、この第２のガイド面は、前記回転可能なコネクタが水平位置に向かって回転するときに前記回転可能なコネクタに下方の力を与える、請求項１８に記載のドッキングステーション。
【請求項２０】
前記少なくとも１つのガイドポストに接触するバイアスメカニズムを更に備え、このバイアスメカニズムは、前記回転可能なコネクタを直立位置に向けて回転する方向にバイアス力を与える、請求項１９に記載のドッキングステーション。
【請求項２１】
前記バイアスメカニズムは、
前記第１のガイド面と前記第２のガイド面との間に存在する１つ以上のスプリングを含む、請求項２０に記載のドッキングステーション。
【請求項２２】
前記少なくとも１つのガイドポストは、前記回転可能なコネクタの第１区分の下端に結合される、請求項１８に記載のドッキングステーション。
【請求項２３】
前記少なくとも１つのガイド面は、１つ以上の直立位置において前記回転可能なコネクタを安定化する止め具を含む、請求項１８に記載のドッキングステーション。
【請求項２４】
ポータブル電子装置のためのドッキングステーションにおいて、
ベースと、
前記ベースに結合され且つ直立位置に向けてバイアスされる回転可能なコネクタであって、ポータブル電子装置のリセプタクルコネクタを受け入れてそれに電気的に結合される回転可能なコネクタと、
前記回転可能なコネクタを、直立位置に存在するようバイアスするバイアスメカニズムであって、前記回転可能なコネクタがその直立位置から遠くへ動くにつれて増加するバイアス力を与える少なくとも１つのスプリングを含むようなバイアスメカニズムと、
前記回転可能なコネクタの接点に電子的に結合された電子回路であって、前記少なくとも１つのスプリングは、前記回転可能なコネクタをこの電子回路に電気的に結合する柔軟な回路を含むような電子回路と、
を備えたドッキングステーション。
【請求項２５】
前記回転可能なコネクタが直立位置から離れて回転するときには、前記少なくとも１つのスプリングの長さが減少する、請求項２４に記載のドッキングステーション。
【請求項２６】
前記回転可能なコネクタは、回転中に前記ベースの外面上の点において枢着回転する、請求項２４に記載のドッキングステーション。
【国際調査報告】
2013516678.tif 000023
2013516678.tif 000024